(57)【要約】【課題】安価で簡易な構造により効率よく放熱することができる卓上スタンドを提供する。【解決手段】卓上スタンド１０Ａは、載置面１２に載置可能な台座部２０および台座部２０に支持される腕部３０を有する。腕部３０は、載置面１２に対して離れる方向および近付く方向に分割可能な上カバー３２および下カバー３３で構成されており、基端部よりも先端部が載置面１２から離れるようになっている。腕部３０には、上カバー３２および下カバー３３に挟持される第１部分３４１と、第１部分３４１に連結され、台座部２０から離れた側に配置される第２部分３４２とを有する金属板状のフレーム３４が収容されている。第２部分３４２には、載置面１２に向けて光を照射する半導体発光素子４１が支持されている。従って、半導体発光素子４１が発した熱は、金属板状のフレーム３４に伝熱され、放熱されるので、安価で簡易な構造により効率よく放熱することができる。【選択図】図４
2015015099.tif 000002
【特許請求の範囲】
【請求項１】
載置面に載置可能な台座部と、
前記台座部に支持され、前記載置面に対して離れる方向および近付く方向に分割可能な上カバーおよび下カバーを有するとともに、基端部よりも先端部が前記載置面から離れるように設けられる腕部と、
前記腕部に収容され、前記上カバーおよび前記下カバーに挟持される第１部分と、前記第１部分に連結され、前記台座部から離れた側に配置される第２部分とを有する金属板状のフレームと、
前記第２部分に支持されて、前記載置面に向けて光を照射する半導体発光素子と、を備える卓上スタンド。
【請求項２】
請求項１に記載の卓上スタンドにおいて、
前記上カバーと前記第１部分との間の空間よりも前記上カバーと前記第２部分との間の空間が大きい卓上スタンド。
【請求項３】
請求項１または請求項２に記載の卓上スタンドにおいて、
前記第１部分および前記第２部分が互いに交差している卓上スタンド。
【請求項４】
請求項１から請求項３までのうちのいずれか１項に記載の卓上スタンドにおいて、
前記第１部分の長手方向寸法よりも前記第２部分の長手方向寸法が小さく、２：１以上である卓上スタンド。
【発明の詳細な説明】
【技術分野】
【０００１】
本発明は、ＬＥＤ等の半導体発光素子を光源とし、放熱性を考慮した卓上スタンドに関するものである。
【背景技術】
【０００２】
従来、ＬＥＤ等の半導体発光素子を光源とする卓上スタンドにおいては、光源等が発する熱を放出する構造が考えられている（例えば、特許文献１参照）。
図１１に示すように、特許文献１に記載のスタンド１００は、高度導熱材質で外形を形成する放熱殻体１０１を有する。放熱殻体１０１の中には収容スペースを設け、其の頂上に近い内側表面に表示窓（図示省略）が設置されており、表示窓の内側に光源である発光ランプ・ユニット１０２が設けられている。
【０００３】
また、放熱殻体１０１の内部のスペースには、放熱モジュール１０３が設けられている。放熱モジュール１０３は、導熱基板１０４と、少なくとも一本の導熱管１０５と、少なくとも一個の放熱フィン１０６を有する。
導熱基板１０４及び放熱フィン１０６は、導熱管１０５によって一体的に結合される。放熱モジュール１０３の導熱基板１０４には発光ランプ・ユニット１０２が取り付けられており、放熱殻体１０１の表示窓（図示省略）に配設される。また、放熱フィン１０６は放熱殻体１０１の内壁面と張り合わされて接触している。
【０００４】
これにより、発光ランプ・ユニット１０２が光を照射すると、光線が放熱殻体１０１の表示窓（図示省略）を経由して放射される。そして、発光ランプ・ユニット１０２にて生じた熱エネルギーは、放熱モジュール１０３の導熱基板１０４を経由して接収され、導熱管１０５及び放熱フィン１０６へ伝送される。最後に、放熱フィン１０６を経由して熱エネルギーを放熱殻体１０１へ伝導し、放熱殻体１０１によって外界と熱交換を行って放熱する。
【先行技術文献】
【特許文献】
【０００５】
【特許文献１】実用新案登録第３１２８９４４号公報（第２図）
【発明の概要】
【発明が解決しようとする課題】
【０００６】
しかしながら、前述したような従来のスタンド１００においては、発光ランプ・ユニット１０２が発した熱を放熱する放熱モジュール１０３として、導熱基板１０４、導熱管１０５および放熱フィン１０６等を設けた。
このため、構造が複雑になり、コスト高を招くおそれがあるという問題があった。
【０００７】
本発明は、従来の問題を解決するためになされたもので、安価で簡易な構造により効率よく放熱することができる卓上スタンドを提供することを目的とする。
【課題を解決するための手段】
【０００８】
本発明の卓上スタンドは、載置面に載置可能な台座部と、前記台座部に支持され、前記載置面に対して離れる方向および近付く方向に分割可能な上カバーおよび下カバーを有するとともに、基端部よりも先端部が前記載置面から離れるように設けられる腕部と、前記腕部に収容され、前記上カバーおよび前記下カバーに挟持される第１部分と、前記第１部分に連結され、前記台座部から離れた側に配置される第２部分とを有する金属板状のフレームと、前記第２部分に支持されて、前記載置面に向けて光を照射する半導体発光素子と、を備えるものである。
【０００９】
また、本発明の卓上スタンドは、前記上カバーと前記第１部分との間の空間よりも前記上カバーと前記第２部分との間の空間が大きいものである。
【００１０】
また、本発明の卓上スタンドは、前記第１部分および前記第２部分が互いに交差しているものである。
【００１１】
さらに、本発明の卓上スタンドは、前記第１部分の長手方向寸法よりも前記第２部分の長手方向寸法が小さく、２：１以上であるものである。
【発明の効果】
【００１２】
本発明は、卓上スタンドは、載置面に載置可能な台座部および台座部に支持される腕部を有する。腕部には、第１部分と、第１部分に連結され、台座部から離れた側に配置される第２部分とを有する金属板状のフレームが収容されており、第２部分には、半導体発光素子が支持されている。このため、半導体発光素子が発した熱は、金属板状のフレームに伝熱され、放熱されるので、安価で簡易な構造により効率よく放熱することができるという効果を有する卓上スタンドを提供できる。
【図面の簡単な説明】
【００１３】
【図１】本発明に係る第１実施形態の卓上スタンドを上方から見た斜視図
【図２】本発明に係る第１実施形態の卓上スタンドの側面図
【図３】本発明に係る第１実施形態の卓上スタンドの断面図
【図４】本発明に係る第１実施形態の卓上スタンドの腕部の長手方向に沿った断面図
【図５】上カバーを下方から見た斜視図
【図６】（Ａ）は下カバーおよび光源部を上方から見た斜視図であり、（Ｂ）はリブが電線を支持する状態を示す説明図
【図７】フレームを下方から見た斜視図
【図８】光源部の分解斜視図
【図９】本発明に係る第２実施形態の卓上スタンドの腕部の断面図
【図１０】本発明に係る第３実施形態の卓上スタンドの腕部の断面図
【図１１】従来のスタンドの一部破断の斜視図
【発明を実施するための形態】
【００１４】
（第１実施形態）
以下、本発明に係る第１実施形態の卓上スタンドについて、図面を用いて説明する。
図１および図２に示すように、実施形態の卓上スタンド１０Ａは、例えば机１１の上に置いて、机の上面等の載置面１２に置かれた本等を照明するのに用いることができる。
卓上スタンド１０Ａは、載置面１２に載置可能な台座部２０と、台座部２０に対して上下方向に回動可能に支持される腕部３０を有する。
【００１５】
台座部２０は、載置面１２に載置されるベース部２１と、ベース部２１から上方に延びる脚部２２を有する。なお、ベース部２１と脚部２２との間に明確な境界はなく、全体として一塊であってもかまわない。ベース部２１および脚部２２は、ここでは、幅方向中央で二分割可能となっている。
図３にも示すように、脚部２２の上端には回動軸２３が設けられており、腕部３０を回動可能に支持する。台座部２０の前面中央付近には、卓上スタンド１０Ａをオン・オフするスイッチ２４が内蔵されている。スイッチ２４の下方には、電源部２５が収容されており、商用電源（図示省略）に接続されて点灯電力を供給する電源線２６が、台座部２０の後面から引き込まれている。
【００１６】
図４に示すように、腕部３０は、後端部（基端部）よりも前端部（先端部）が載置面１２から離れるように、前側を高くすることができる。なお、腕部３０を回動軸２３周りに回動させて最も上に位置決めした状態で、後述する光源部４０が水平となるようにしている（図２参照）。
腕部３０は、細長い断面矩形状の箱状の筐体３１を有する。筐体３１は、筐体３１の上面を構成する上カバー３２と、筐体３１の下面を構成する下カバー３３とを有する。
上カバー３２は載置面１２に対して離れる方向すなわち上方へ、また下カバー３３は載置面１２に対して近付く方向すなわち下方へ分割可能となっている。
【００１７】
図５に示すように、上カバー３２は樹脂製の矩形板状の上カバー本体３２１を有しており、上カバー本体３２１の外周縁に沿って全周に下向きの上立壁３２２が設けられている。上立壁３２２の内面には、内側に突出する上突起３２５が設けられている。
また、上カバー本体３２１の内面（下面）には、幅方向中央部に長手方向に沿って設けられている上縦リブ３２３と、上縦リブ３２３に直交する複数本の上横リブ３２４が設けられている。
【００１８】
図６（Ａ）に示すように、下カバー３３は樹脂製の矩形板状の下カバー本体３３１を有しており、下カバー本体３３１の外周縁に沿って全周に上向きの下立壁３３２が設けられている。下立壁３３２の上端面には、上方に突出する下突起３３３が設けられている。
下カバー本体３３１は、上カバー本体３２１よりも小さめとなっており、下立壁３３２の外周面が、上立壁３２２の内側に嵌まる大きさとなっている。上カバー３２に下カバー３３を嵌め込むと、下カバー３３の下突起３３３が、上カバー３２の上突起３２５によって係止され、箱状の筐体３１が形成される。
【００１９】
下カバー本体３３１の前端部は、一段低い位置において前端に向かって下方に傾斜するように本体前部３３５が設けられている（図４参照）。
本体前部３３５には、後述する光源部４０を取り付けるための光源部取付孔３５が設けられている。光源部取付孔３５の周囲には、円形の取付リブ３５１が設けられており、取付リブ３５１の外側には、一対の取付台３５２が設けられている。取付台３５２の上面には、ねじ孔３５３が設けられている。
【００２０】
下カバー本体３３１の内面（上面）には、幅方向中央部に長手方向に沿って所定間隔で下横リブ３３６が設けられている。
図６（Ｂ）に示すように、下横リブ３３６は、長手方向に対向する一対の下横リブ３３６Ａ、３３６Ｂと、下横リブ３３６Ａおよび下横リブ３３６Ｂとの間において幅方向外側に設けられている一対の下横リブ３３６Ｃ、３３６Ｄを有する。
【００２１】
従って、光源部４０と電源部２５とを結ぶ電線３６を、一対の下横リブ３３６Ａおよび下横リブ３３６Ｂとの間において、下横リブ３３６Ｃ（３３６Ｄ）をよけるように迂回させることにより、電線３６を支持することができる。
また、下横リブ３３６Ｃ、３３６Ｄの外側には、長手方向に延びる下縦リブ３３７が設けられている。
さらに、下カバー３３の後端部には、回動軸２３を軸支する軸受部３３４が、下方に突出して設けられている（図４参照）。
【００２２】
図４に示すように、筐体３１の内部には、板金で形成されるフレーム３４が、設けられている。
図７に示すように、フレーム３４は、全体細長い矩形状をした金属製の板状部材である。フレーム３４は、後端部および中央部を含む平板状の第１部分３４１と、第１部分３４１の前端の折曲線３４３で、前端が下がるように折曲げられている第２部分３４２を有する。
第１部分３４１の長さは、第２部分３４２の長さよりも長くなるように設定されている。例えば、第１部分３４１の長さは、第２部分３４２の長さの２倍以上とする。
【００２３】
第２部分３４２には、後述する光源部４０を取り付けるために、一対の取付孔３４５が設けられている。取付孔３４５は、下カバー３３の光源部取付孔３５に対応した位置に設けられている。
また、第２部分３４２には、光源部４０を位置決めするための一対の位置決め孔３４６が設けられている。
従って、光源部４０は、フレーム３４の下面に接して取り付けられるので、光源部４０が発した熱は、フレーム３４に伝熱して拡がる。
【００２４】
図４に示すように、フレーム３４の第１部分３４１は、上カバー３２と下カバー３３との間に挟持される。
すなわち、フレーム３４の第１部分３４１は、上カバー３２の上縦リブ３２３および上横リブ３２４と、下カバー３３の下横リブ３３６および下縦リブ３３７との間に挟持される。
このため、フレーム３４は、上カバー本体３２１および下カバー本体３３１と直接接触しない。
また、第２部分３４２は、下カバーの本体前部３３５に沿って、前端部が下がるように傾斜している。このため、上カバー３２とフレーム３４の第２部分３４２との間には、空間Ｓが形成される。
【００２５】
空間Ｓは、上カバー３２とフレーム３４の第１部分３４１との間の空間よりも大きい。
ここで、空間の大きさとは、単に容積の大小を指すものではなく、上カバー３２とフレーム３４の第２部分３４２との間の離間寸法が、上カバー３２とフレーム３４の第１部分３４１との間の離間寸法よりも大きく、換言すれば熱的絶縁性が高いことを指す。
【００２６】
図８に示すように、光源部４０は、ＬＥＤユニット４３、ＬＥＤユニット４３を取り付けるためのホルダ４４、ＬＥＤユニット４３からの照射光を配光制御するレンズ４５を有する。
ＬＥＤユニット４３は、ＬＥＤパッケージ（半導体発光素子）４１を回路基板４２に実装して形成され、対角位置に一対の位置決め凹部４３１が設けられている。
【００２７】
ホルダ４４は、全体円板状のホルダ本体４４１を有し、ホルダ本体４４１の中央にＬＥＤユニット４３が下方に露出するために円形の開口部４４２を有する。開口部４４２の周囲にはＬＥＤユニット４３を位置決めするための一対の位置決め突起４４３が、開口部４４２に対して対称位置に設けられている。
また、ホルダ本体４４１の外側に張り出して、一対の支持部４４４が設けられている。支持部４４４は、開口部４４２に対して対称位置に設けられており、先端にはねじ用の貫通孔４４５が設けられている。
【００２８】
レンズ４５は、全体略球面状のレンズ部４５１を有し、レンズ部４５１の周囲には鍔部４５２を有する。鍔部４５２には、対称位置にねじ用の切欠４５３が設けられている。
【００２９】
次に、光源部４０の腕部３０への取付け方および腕部３０の組み立て作業について説明する。
まず、図８に示すように、ＬＥＤユニット４３の位置決め凹部４３１をホルダ４４の位置決め突起４４３に嵌めて、ＬＥＤユニット４３をホルダ４４に取り付ける。ホルダ４４のねじ用の貫通孔４４５をレンズ４５の鍔部４５２の外周面に設けられている切欠４５３に合わせて光源部４０を組立てる。
次いで、図６に示すように、光源部４０を下カバー３３の光源部取付孔３５に上方から挿入し、レンズ４５の鍔部４５２を下カバー３３の光源部取付孔３５の取付リブ３５１の上に載置する。ホルダ４４の支持部４４４の貫通孔４４５を、下カバー３３の取付台３５２のねじ孔３５３の位置に合わせる。
【００３０】
次に、図４に示すように、フレーム３４を下カバー３３の上に被せ、ホルダ４４の位置決め突起４４３を、下方からフレーム３４の位置決め孔３４６に挿嵌して位置決めする。そして、ねじ３７をフレーム３４の上からフレーム３４の取付孔３４５、ホルダ４４の貫通孔４４５に通し、下カバー３３の取付台３５２のねじ孔３５３に締付けて固定する。
【００３１】
その後、上カバー３２を下カバー３３に被せて固定する。このとき、フレーム３４の第１部分３４１は、上カバー３２の上縦リブ３２３および上横リブ３２４と、下カバー３３の下横リブ３３６および下縦リブ３３７との間に挟持される。
このため、フレーム３４は、上カバー本体３２１および下カバー本体３３１と直接接触しないので、光源部４０が発した熱がフレーム３４を伝わっている際に触れても熱くない。
【００３２】
次に、卓上スタンド１０Ａの作用効果について説明する。
卓上スタンド１０Ａは、載置面１２に載置可能な台座部２０および台座部２０に支持される腕部３０を有する。
腕部３０は、載置面１２に対して離れる方向および近付く方向に分割可能な上カバー３２および下カバー３３で構成されており、基端部よりも先端部が載置面１２から離れるようになっている。
【００３３】
腕部３０には、金属板状のフレーム３４が収容されている。フレーム３４は、上カバー３２および下カバー３３に挟持される第１部分３４１と、第１部分３４１に連結され、台座部２０から離れた側に配置される第２部分３４２とを有する。第２部分３４２には、載置面１２に向けて光を照射するＬＥＤパッケージ４１が支持されている。
従って、ＬＥＤパッケージ４１が発した熱は、金属板状のフレーム３４に伝熱され、放熱されるので、安価で簡易な構造により効率よく放熱することができる。
なお、この実施形態において、第１部分３４１および第２部分３４２は、互いに一体物であるが、互いに別体成形された後に、適宜な手段により連結されていてもよい。
【００３４】
また、卓上スタンド１０Ａは、上カバー３２と第１部分３４１との間の空間Ｓよりも、上カバー３２とＬＥＤパッケージ４１が設けられている第２部分３４２との間の空間Ｓのほうが大きく、換言すれば熱的絶縁性が高い。
このため、第２部分３４２に対応した上カバー３２部分に触れても熱くないので、腕部３０の先端側を持って腕部３０を上下方向に回動させて、配光制御することができる。
【００３５】
また、卓上スタンド１０Ａは、第１部分３４１および第２部分３４２が互いに交差しているものである。
第１部分３４１および第２部分３４２が互いに交差しているので、第１部分３４１が台座部２０に対して傾斜した場合でも、第２部分３４２を水平にして、直下を照明することができる。
これにより、腕部３０を上方へ傾斜させることができるので、光源部４０の位置を高くすることができ、照射範囲を広げることができる。
【００３６】
さらに、卓上スタンド１０Ａは、第１部分３４１の長手方向寸法よりも第２部分３４２の長手方向寸法が小さく、比率が２：１以上である。
このため、ＬＥＤパッケージ４１が発した熱を第２部分３４２が受けて、第１部分３４１に伝熱した際に、第１部分３４１が長いので、効率よく放熱することができる。
【００３７】
（第２実施形態）
次に、本発明に係る第２実施形態の卓上スタンドについて説明する。
なお、前述した第１実施形態に係る卓上スタンド１０Ａと共通する部位には同じ符号を付して、重複する説明を省略することとする。
図９に示すように、第２実施形態の卓上スタンド１０Ｂでは、腕部３０の上カバー３２の先端部を上方へ膨らませて（膨出部３２６）、空間Ｓを設けるようにした。
【００３８】
このようにしても、前述した第１実施形態の卓上スタンド１０Ａと同様に、安価で簡易な構造により効率よく放熱することができる。
【００３９】
（第３実施形態）
次に、本発明に係る第３実施形態の卓上スタンドについて説明する。
なお、前述した第１実施形態に係る卓上スタンド１０Ａおよび第２実施形態に係る卓上スタンド１０Ｂと共通する部位には同じ符号を付して、重複する説明を省略することとする。
図１０に示すように、第３実施形態の卓上スタンド１０Ｃでは、腕部３０の上カバー３２の先端部を、フレーム３４および下カバー３３と同様に下方へ折曲げた。
本発明に係る卓上スタンドでは、このように構成することも可能である。
【００４０】
本発明の卓上スタンドは、前述した各実施形態に限定されるものでなく、適宜な変形、改良等が可能である。
例えば、前述した各実施形態においては、腕部３０が上下に回動可能に支持されている場合を例示した。
本発明は、腕部３０が台座部２０に固定されている場合にも適用可能である。
また、前述した各実施形態においては、光源部４０に半導体発光素子としてＬＥＤを用いた場合を例示したが、この他、有機ＥＬ等を用いることも可能である。
【符号の説明】
【００４１】
１０Ａ、１０Ｂ、１０Ｃ  卓上スタンド
１２  載置面
２０  台座部
３０  腕部
３２  上カバー
３３  下カバー
３４  フレーム
３４１  第１部分
３４２  第２部分
４１  ＬＥＤパッケージ（半導体発光素子）
Ｓ  空間
【図１】
2015015099.tif 000003
【図２】
2015015099.tif 000004
【図３】
2015015099.tif 000005
【図４】
2015015099.tif 000006
【図５】
2015015099.tif 000007
【図６】
2015015099.tif 000008
【図７】
2015015099.tif 000009
【図８】
2015015099.tif 000010
【図９】
2015015099.tif 000011
【図１０】
2015015099.tif 000012
【図１１】
2015015099.tif 000013